(57)【要約】      （修正有）【課題】操作部材を無理なく操作することができ、操作した方向を安価かつ省スペースで検知することができる電子機器を提供する。【解決手段】第１の配線６１ｂは第１の端子部材の各々から検出手段までのインピーダンス値が異なるよう形成されており、操作部材を第１の方向または第２の方向にスライド操作させると、押し子部材３１の摺動部が２つのカム部を摺動することで押し子部材が第３の方向に移動し、押し子部材の軸部３１ｄがスイッチを押し込むと共に、第１の端子部材のうちの少なくとも１つが第３の端子部材６３を介して第２の端子部材６０と電気的に接続し、検出手段で検出されるインピーダンス値に基づいて操作部材１４が操作された方向を検出する。【選択図】図４
2017098730.tif 000002
【特許請求の範囲】
【請求項１】
ベース部材（２０）と、
スイッチ（２１ｃ）と、
前記ベース部材（２０）に対して第１の方向および前記第１の方向と直交する第２の方向にスライド操作することのできる操作部材（１４）と、
すり鉢形状のカム部（２６ａ、２６ｂ）が形成されており、前記操作部材（１４）が前記第１の方向または前記第２の方向にスライド操作される際に、前記操作部材（１４）と一体的にスライド移動することのできるカム部材（２６）と、
前記スイッチ（２１ｃ）を押圧することができる軸部（３１ｄ）と、前記カム部（２６ａ、２６ｂ）と摺動する摺動部（３１ａ）とが形成されており、
前記ベース部材（２０）に対して前記第１の方向および前記第２の方向とそれぞれ直交する第３の方向に移動することができる押し子部材（３１）と、
導電性を有し、前記カム部（２６ａ、２６ｂ）の一部を形成すると共に、前記カム部材（２６）に固定される複数の第１の端子部材（６２）と、
前記第１の端子部材（６２）と電気的に接続され、前記カム部材（２６）に固定される回路基板（６１）と、
前記回路基板（６１）と電気的に接続する第２の端子部材（６０）と、
導電性を有し、前記摺動部（３１ａ）の一部を形成すると共に、前記押し子部材（３１）に固定される第３の端子部材（６３）と、
前記回路基板（６１）に形成され、前記複数の第１の端子部材（６２）が並列に接続される第１の配線（６１ｂ）と、
前記第２の端子部材（６０）に接続される第２の配線（６１ａ）と、
前記第１の配線（６１ｂ）と前記第２の配線（６１ａ）に接続され、インピーダンス値を検出する検出手段（１７）と
を備え、
前記第１の配線（６１ｂ）は複数ある第１の端子部材（６２）のそれぞれから前記検出手段（１７）までのインピーダンス値が異なるよう形成（６１ｃ、６１ｅ、６１ｄ、６１ｆ）されており、
前記操作部材（１４）を前記第１の方向または前記第２の方向にスライド操作させると、前記押し子部材（３１）の前記摺動部（３１ａ）が前記カム部（２６ａ、２６ｂ）を摺動することで前記押し子部材（３１）が前記第３の方向に移動し、前記押し子部材（３１）の前記軸部（３１ｄ）が前記スイッチを押し込むと共に、
前記第１の端子部材（６２）のうちの少なくとも１つが前記第３の端子部材（６３）を介して前記第２の端子部材（６０）と電気的に接続し、前記検出手段（１７）で検出されるインピーダンス値に基づいて前記操作部材（１４）が操作された方向を検出することを特徴とする電子機器（１）。
【請求項２】
前記ベース部材（２０）に対して前記第１の方向にのみ移動可能に取り付けられる移動部材（１５）を有し、前記操作部材（１４）は、前記移動部材（１５）に対して前記第２の方向にのみ移動可能に取り付けられていることを特徴とする請求項１に記載の電子機器（１）。
【請求項３】
前記移動部材（１５）と前記ベース部材（２０）との間に配置され、前記移動部材（１５）を前記移動部材（１５）の移動可能範囲における中立位置に付勢する第１の付勢部材（５２）と、前記操作部材（１４）と前記移動部材（１５）との間に配置され、前記操作部材（１４）を前記操作部材（１４）の操作可能範囲における中立位置に付勢する第２の付勢部材（５２）と、を備え、前記第１の付勢部材（５２）は、前記ベース部材（２０）における前記移動部材（１５）の投影面内に配置されており、前記第２の付勢部材（５２）は、前記操作部材（１４）における前記移動部材（１５）の投影面内に配置されていることを特徴とする請求項１又は請求項２に記載の電子機器（１）。
【請求項４】
前記押し子部材（３１）の前記軸部（３１ｄ）が前記スイッチ（２１ｃ）から離れる方向に、前記押し子部材（３１）を付勢する第３の付勢部材（３２）を有することを特徴とする請求項１乃至請求項３の何れか一項に記載の電子機器（１）。
【請求項５】
前記カム部材（２６）の前記カム部（２６ａ、２６ｂ）は、前記操作部材（１４）が前記第１の方向にスライド操作された場合と、前記操作部材（１４）が前記第２の方向にスライド操作された場合とで、前記押し子部材（３１）の前記軸部（３１ｄ）が前記スイッチ（２１ｃ）を押し込むために必要な前記操作部材（１４）のスライド操作量が異なるように、形成されていることを特徴とする請求項１乃至請求項４の何れか一項に記載の電子機器（１）。
【請求項６】
前記カム部材（２６）の前記カム部（２６ａ、２６ｂ）は、前記操作部材（１４）が前記第１の方向にスライド操作された場合の方が、前記操作部材（１４）が前記第２の方向にスライド操作された場合よりも、前記押し子部材（３１）の前記軸部（３１ｄ）が前記スイッチ（２１ｃ）を押し込むために必要な前記操作部材（１４）のスライド操作量が大きくなるように、形成されていることを特徴とする請求項１乃至請求項５の何れか一項に記載の電子機器（１）。
【請求項７】
前記スイッチ（２１ｃ）は、前記押し子部材（３１）の前記軸部（３１ｄ）によって第１の押し込み量だけ押し込まれることで、第１の信号を出力し、前記押し子部材（３１）の前記軸部（３１ｄ）によって前記第１の押し込み量より大きい第２の押し込み量だけ押し込まれることで、第２の信号を出力する２段スイッチであり、
前記操作部材（１４）を前記第１の方向または前記第２の方向にスライド操作させることにより、前記スイッチ（２１ｃ）が前記押し子部材（３１）の前記軸部（３１ｄ）によって第１の押し込み量だけ押し込まれるのと同時に、前記第１の端子部材（６２）のうちの少なくとも１つが前記第３の端子部材（６３）を介して前記第２の端子部材（６０）と電気的に接続することを特徴とする請求項１乃至請求項６の何れか一項に記載の電子機器（１）。
【請求項８】
前記第２の端子部材（６０）はリング状に形成され、前記第３の端子部材（６３）は前記押し子部材（３１）の前記軸部（３１ｄ）を覆うように形成されおり、前記操作部材（１４）が中立位置にあるとき、前記押し子部材（３１）の前記軸部（３１ｄ）は前記リング状に形成された前記第２の端子部材（６０）の中央に配置されていることを特徴とする請求項１乃至請求項７の何れか一項に記載の電子機器（１）。
【請求項９】
前記第１の端子部材（６２）のうち２つは前記第１の方向に平行となるように互いに対向して配置され、さらに前記第１の端子部材（６２）のうち別の２つは前記第２の方向に平行となるように互いに対向して配置されていることを特徴とする請求項１乃至請求項８の何れか一項に記載の電子機器（１）。
【請求項１０】
リング状に形成され、前記回路基板（６１）に電気的に接続された前記第２の端子部材（６３）を取り囲むように前記複数の第１の端子部材（６２）が前記回路基板（６１）に電気的に接続されており、前記複数ある第１の端子部材（６２）のうち少なくとも一つは、前記第１の配線（６１ｂ）で前記検出手段（１７）と直列に接続されており、前記第１の端子部材（６２）のうちの残りは前記第１の配線（６１ｂ）に並列に接続されており、それぞれの前記第１の端子部材（６２）から前記検出手段（１７）までの配線上に少なくとも一つの抵抗素子（６１ｃ、６１ｅ、６１ｄ、６１ｆ）が実装されていることを特徴とする請求項１乃至請求項９の何れか一項に記載の電子機器（１）。
【発明の詳細な説明】
【技術分野】
【０００１】
本発明は、電子機器に関する。
【背景技術】
【０００２】
カメラを横位置にホールドした場合に人差し指が届きやすい箇所に横位置レリーズボタンを設け、カメラを縦位置にホールドした場合にも人差し指が届きやすい箇所に縦位置レリーズボタンを設けることが知られている（特許文献１参照）。
【先行技術文献】
【特許文献】
【０００３】
【特許文献１】特開２００４−３４３２８３号公報
【発明の概要】
【発明が解決しようとする課題】
【０００４】
しかしながら、特許文献１では、横位置レリーズボタンもしくは縦位置レリーズボタンが下向きになるような姿勢では、手首をひねった状態でカメラをホールドなければならず、非常に撮影しにくくなる。
【０００５】
このような課題を鑑みて、本発明の目的は、使用者が電子機器をどのような向きでホールドしても、操作部材を無理なく操作することができ、さらに操作した方向を検知することができる電子機器を提供することにある。
【課題を解決するための手段】
【０００６】
上記の目的を達成するために、本発明に係る電子機器は、
ベース部材と、スイッチと、前記ベース部材に対して第１の方向および前記第１の方向と直交する第２の方向にスライド操作することのできる操作部材と、すり鉢形状のカム部が形成されており、前記操作部材が前記第１の方向または前記第２の方向にスライド操作される際に、前記操作部材と一体的にスライド移動することのできるカム部材と、前記スイッチを押圧することができる軸部と、前記カム部と摺動する摺動部とが形成されており、前記ベース部材に対して前記第１の方向および前記第２の方向とそれぞれ直交する第３の方向に移動することができる押し子部材と、導電性を有し、前記カム部の一部を形成すると共に、前記カム部材に固定される複数の第１の端子部材と、前記第１の端子部材と電気的に接続され、前記カム部材に固定される回路基板と、前記回路基板と電気的に接続する第２の端子部材と、導電性を有し、前記摺動部の一部を形成すると共に、前記押し子部材に固定される第３の端子部材と、前記回路基板に形成され、前記複数の第１の端子部材が並列に接続される第１の配線と、前記第２の端子部材に接続される第２の配線と、前記第１の配線と前記第２の配線に接続され、インピーダンス値を検出する検出手段と、を備え、前記第１の配線は複数ある第１の端子部材のそれぞれから前記検出手段までのインピーダンス値が異なるよう形成されており、前記操作部材を前記第１の方向または前記第２の方向にスライド操作させると、前記押し子部材の前記摺動部が前記カム部を摺動することで前記押し子部材が前記第３の方向に移動し、前記押し子部材の前記軸部が前記スイッチを押し込むと共に、前記第１の端子部材のうちの少なくとも１つが前記第３の端子部材を介して前記第２の端子部材と電気的に接続し、前記検出手段で検出されるインピーダンス値に基づいて前記操作部材が操作された方向を検出することを特徴とする。
【発明の効果】
【０００７】
発明によれば、使用者が電子機器をどのような向きでホールドしても、操作部材を無理なく操作することができ、さらに操作した方向を安価かつ省スペースで検知することができる電子機器を提供することができる。
【図面の簡単な説明】
【０００８】
【図１】本発明の第１の実施形態であるデジタルカメラの外観斜視図、（ａ）デジタルカメラを正面側（被写体側）から見た外観斜視図、（ｂ）フロントカバーユニットをカメラ本体から取り外した分解斜視図、（ｃ）フロントカバーユニットを背面側から見た斜視図
【図２】本発明の第１の実施形態であるデジタルカメラのフロントカバーユニットの正面側から見た部分分解斜視図、（ａ）フロントカバーユニットの分解斜視図、（ｂ）バネユニットの分解斜視図
【図３】フロントカバーユニットの形状を説明する分解斜視図、（ａ）フロントカバーユニットの正面側分解斜視図、（ｂ）フロントカバーユニットの背面分解斜視図
【図４】レリーズリングがＸ１方向にスライド操作された場合のカム部材と押し子部材の動きを説明する説明図、（ａ）フロントカバーユニットの正面図、（ｂ）中立位置におけるフロントカバーユニットの正面図と要部Ａ-Ａ断面図、（ｃ）スライド操作時のフロントカバーユニットの正面図と要部Ｂ-Ｂ断面図
【発明を実施するための形態】
【０００９】
以下に、本発明の好ましい実施の形態を、添付の図面に基づいて詳細に説明する。
【実施例１】
【００１０】
図１は本発明の電子機器の一例であるデジタルカメラの外観斜視図である。図１（ａ）はデジタルカメラを正面側（被写体側）から見た外観斜視図である。図１（ｂ）はフロントカバーユニット１８をカメラ本体１から取り外した状態である。図１（ｃ）はカメラ本体１から取り外したフロントカバーユニット１８を背面側から見た斜視図である。
【００１１】
図１（ａ）はレンズユニット３が繰り出された撮影可能状態である。デジタルカメラをスタンバイ状態にすると、レンズユニット３がカメラ本体（装置本体）１から突出しない位置まで沈胴収納される。
【００１２】
ズームリング１３は、リング形状をしており、レンズユニット３の周囲に配置されている。ズームリング１３は、カメラ本体１に対し、レンズユニット３の光軸中心にＰ方向およびＱ方向（図１（ａ）参照）に所定角度範囲で回動するように構成されている。
【００１３】
ズームリング１３をＰ方向に回動させると、レンズユニット３の焦点距離が望遠側にズームし、Ｑ方向へ回転させると、レンズユニット３の焦点距離が広角側にズームする。使用者がズームリング１３を回動操作し、その後、ズームリング１３から指を離すとバネにより、ズームリング１３は中立位置に復帰する。
【００１４】
ズームリング１３の外径全周部には、指掛かりが良くなるように凹凸形状部が形成されている。
【００１５】
レリーズリング１４は、リング形状を有しており、レンズユニット３の周囲に配置されている。レリーズリング１４の外径は、ズームリング１３の外径よりも小さく形成され、レリーズリング１４は、ズームリング１３よりもデジタルカメラの前方に突出するように配置されている。レリーズリング１４は、カメラ本体１に対し、レンズユニット３の光軸と直交する上方向および下方向、左方向および右方向（図１（ａ）参照）に、所定範囲でスライド操作することができる。
【００１６】
レリーズリング１４を上下方向のスライド操作、すなわち下方向および上方向にスライド操作することで、レリーズ動作を実行させ、静止画撮影を実行することができる。
【００１７】
同様に、レリーズリング１４を左右方向のスライド操作、すなわち左方向および右方向に操作することでも、レリーズ動作を実行させ、静止画撮影を実行することができる。
【００１８】
通常、デジタルカメラのレリーズスイッチは、２段スイッチで構成されている。レリーズスイッチの第１ストロークで１段目のスイッチ（ＳＷ１）がオンするとＡＦ（オートフォーカス）動作およびＡＥ（自動露出）動作を実行する。そして、レリーズスイッチの第２ストロークで２段目のスイッチ（ＳＷ２）がオンすると静止画撮影を実行する。
【００１９】
レリーズリング１４は、上下左右方向に所定範囲内でのみスライド操作することができる。また、レリーズリング１４は、上下方向のスライド操作または左右方向のスライド操作を解除すると、バネ力により、中立位置に復帰するように構成されている。
【００２０】
なお、図１（ａ）では、ズームリング１３およびレリーズリング１４が中立位置に位置している状態を示している。
【００２１】
図１（ｂ）に図示するように、カメラ本体１内のレンズユニット３の右側には、カメラに電源を供給する電池が収納される電池室１６が配置され、レンズユニット３の左側にはメインＣＰＵなどを実装したメイン回路基板１７が配置されている。メイン回路基板１７およびレンズユニット３はフレキシブル配線板により電気的に接続されている。メイン回路基板１７には、フロントカバーユニット１８に取り付けられたフロントフレキシブル配線板の接続用コネクタ１７ａが実装されている。
【００２２】
図１（ｃ）に示すように、フロントカバーユニット１８は、フロントカバー１９、フロントインナー２０、フロントフレキシブル配線板２１、ズームリング１３およびレリーズリング１４等で構成されている。
【００２３】
フロントカバー１９は、金属材料を絞り成型することで形成されている。フロントカバー１９の中央には開口部１９ａが形成されている。合成樹脂製のフロントインナー２０は、合成樹脂材料で形成されている。フロントカバー１９の開口部１９ａからフロントインナー２０の一部が露出するように、フロントインナー２０はフロントカバー１９の背面側に接着固定されている。
【００２４】
フロントインナー２０の中央には、開口部２０ｋが形成されている。フロントカバーユニット１８をカメラ本体１に取り付けると、レンズユニット３の一部がフロントインナー２０の開口部２０ｋの内側に位置する。カメラ本体１の電源をオンすると、レンズユニット３の一部がフロントインナー２０の開口部２０ｋの内側において繰り出すようになっている。フロントインナー２０は、ズームリング１３とレリーズリング１４を可動支持するベース部材として機能する。ズームリング１３は、フロントインナー２０に対して所定範囲で回動操作することができるように構成されている。レリーズリング１４は、フロントインナー２０に対して所定範囲でスライド操作することができるように構成されている。
【００２５】
フロントインナー２０には、フロントフレキシブル配線板２１が取り付けられている。フロントフレキシブル配線板２１には、レリーズ動作の実行を受け付けるスイッチおよびズーム動作の実行を受け付けるスイッチが実装されている。フロントフレキシブル配線板２１の先端には、一部パターンが露出した接点接続部２１ａが形成されている。フロントフレキシブル配線板２１の接点接続部２１ａがメイン回路基板１７のコネクタ１７ａに接続される。これによって、ズームリング１３およびレリーズリング１４の操作によって各スイッチから出力される信号は、メイン回路基板１７に実装されるメインＣＰＵに伝えられる。
【００２６】
図２はデジタルカメラのフロントカバーユニット１８の分解斜視図である。図２（ａ）は背面側から見たフロントカバーユニットの分解斜視図である。図２（ｂ）は背面側から見たレリーズベースの斜視図である。
【００２７】
図２（ａ）に示すように、フロントインナー２０の正面側には、フロントカバー１９が接着固定されている。フロントカバー１９の開口部１９ａから露出しているフロントインナー２０の正面側に、バネユニット５０が取り付けられている。バネユニット５０は、フロントインナー２０の開口部２０ｋの左右に１本ずつ取り付けられている。
【００２８】
フロントカバー１９の開口部１９ａから露出しているフロントインナー２０の正面側には、不図示のバネ収納用凹部２０ａ、２０ｂが形成されている。バネ収納用凹部２０ａ、２０ｂには、バネユニット５０がそれぞれ取り付けられる。
【００２９】
レリーズリング１４は、意匠性、強度の都合から、合成樹脂材料からなるレリーズベース２２と金属材料からなるレリーズキャップ２３とを貼り合わせて構成される。レリーズベース２２およびレリーズキャップ２３はともにリング形状を有している。
【００３０】
フロントカバー１９の開口部１９ａから露出しているフロントインナー２０の正面側に、ズームリング１３が配置される。ズームリング１３の背面側には摺動シート２５が貼られている。フロントカバー１９の開口部１９ａから露出しているフロントインナー２０の正面側であって、ズームリング１３の内側には、Ｙ方向移動リング１５がＹ方向にのみ移動することができるように取り付けられている。Ｙ方向移動リング１５の正面側にはバネユニット５０が取り付けられている。
【００３１】
カム部材２６の背面側には、押し子部材３１が配置されている。また、カム部材２６の一部を形成するように、位置検出端子６２が取り付けられる。さらに、押し子部材３１の一部を形成するように接続端子６３が押し子部材３１に取り付けられている。このとき、押し子部材３１は、カム部材２６と方向検知用フレキシブル配線板６１とリング状の検出端子６０とを貫通して、フロントインナー２０に挿入される。
【００３２】
押し子部材３１の背面側には、ガイド部材３３が配置されている。押し子部材３１に付勢バネ３２を配置して、ガイド部材３３をフロントインナー２０の背面側にビスで固定する。押し子部材３１はフロントインナー２０とガイド部材３３との間に挟まれた状態で取り付けられている。押し子部材３１は付勢バネ３２によってカム部材２６に押し付けられている。ガイド部材３３の背面側には、フロントフレキシブル配線板２１に実装されるレリーズスイッチ２１ｃが配置されている。付勢バネ３２に抗して押し子部材３１が背面側へ移動すると、押し子部材３１がレリーズスイッチ２１ｃを押し込む。押し子部材３１はレリーズスイッチ２１ｃを押圧することができる軸部として機能する。
【００３３】
図２（ｂ）はバネユニット５０の分解斜視図である。
【００３４】
バネユニット５０は、金属シャフト５１、コイルバネ５２、軸受部材５３で構成されている。バネユニット５０は、金属シャフト５１にコイルバネ５２を装着し、コイルバネ５２の両端に軸受部材５３が配置されるように、軸受部材５３を金属シャフト５１に取り付ける。コイルバネ５２の上側巻き端部５２ａおよび下側巻き端部５２ｂの内径はコイルバネ５２の中央部分の内径より大きい。軸受部材５３は、合成樹脂材料で形成され、コイルバネ５２の上側巻き端部５２ａおよび下側巻き端部５２ｂに接触するように、金属シャフト５１に取り付けられる。軸受部材５３を金属シャフト５１に取り付けると、金属シャフト５１の両端は軸受部材５３を貫通して軸受部材５３から突出する。コイルバネ５２の中央部分は、金属シャフト５１にガイドされる部分となり、金属シャフト５１の外径とコイルバネ５２の中央部分の内径のクリアランスは動作に問題ない程度に十分に小さくしている。
【００３５】
図３はフロントカバーユニット１８の形状を説明する分解斜視図である。図３（ａ）は正面側からフロントカバーユニット１８を見た分解斜視図である。図３（ａ）では、フロントインナー２０を省略している。図３（ｂ）は背面側からフロントカバーユニット１８を見た分解斜視図である。
【００３６】
図３（ｂ）に示すように、カム部材２６の背面側には、略すり鉢形状のカム部２６ａ、２６ｂが形成されている。カム部材２６の背面側には、押し子部材３１が配置されている。押し子部材３１には、摺動部３１ａ、第１の軸部３１ｂ、凹部３１ｃ、第２の軸部３１ｄが形成されている。図３（ｂ）に示すように、第１の軸部３１ｂは、摺動部３１ａから正面側に突出形成され、第２の軸部３１ｄは、摺動部３１ａから背面側に突出形成されている。凹部３１ｃは、摺動部３１ａの背面側がくり抜かれるような形で形成されている。
【００３７】
押し子部材３１をカム部材２６の背面側に配置すると、摺動部３１ａは、カム部材２６のカム部２６ａ、２６ｂと摺動する。また、カム部材２６の略すり鉢状のカム部２６ａの一部を形成するように、位置検出端子６２が取り付けられる。さらに、押し子部材３１の摺動部３１ａの一部を形成し、第１の軸部３１ｂの周囲を覆うように、接続端子６３が押し子部材３１に取り付けられている。このとき、第１の軸部３１ｂは、カム部材２６と方向検知用フレキシブル配線板６１とリング状の検出端子６０とを貫通して、フロントインナー２０に形成されるガイド穴２０ｌに挿入される。
【００３８】
押し子部材３１の背面側には、ガイド部材３３が配置されている。ガイド部材３３には、ガイド穴３３ａが形成されている。押し子部材３１の凹部３１ｃに付勢バネ３２を配置して、ガイド部材３３をフロントインナー２０の背面側にビスで固定する。このとき、押し子部材３１の第２の軸部３１ｄはガイド穴３３ａに挿入される。押し子部材３１はフロントインナー２０とガイド部材３３との間に挟まれた状態で取り付けられている。これによって、押し子部材３１は、第１の軸部３１ｂおよび第２の軸部３１ｄの軸方向に沿って移動可能に取り付けられており、付勢バネ３２によって摺動部３１ａがカム部２６ａ、２６ｂに押し付けられている。
【００３９】
ガイド部材３３の背面側には、フロントフレキシブル配線板２１に実装されるレリーズスイッチ２１ｃが配置されている。付勢バネ３２に抗して押し子部材３１が背面側へ移動すると、第２の軸部３１ｄの先端がレリーズスイッチ２１ｃを押し込む。第２の軸部３１ｄの先端がレリーズスイッチ２１ｃを第１の押し込み量だけ押し込むことで、レリーズスイッチ２１ｃの１段目のスイッチがオンする。さらに、第２の軸部３１ｄの先端がレリーズスイッチ２１ｃを第２の押し込み量だけ押し込むことで、レリーズスイッチ２１ｃの２段目のスイッチがオンする。したがって、第２の軸部３１ｄは、レリーズスイッチ２１ｃを押圧することができる軸部として機能する。
【００４０】
図４はレリーズリング１４がＸ１方向にスライド操作された場合のカム部材２６と押し子部材３１の動きを説明する図である。図４（ａ）はフロントカバーユニット１８を正面から見た図である。Ｘ１方向は図４（ａ）の矢印で定義する。図４（ｂ）はレリーズリング１４が中立位置の状態にあるときのフロントカバーユニット１８のカム部材２６周辺の正面図と要部Ａ-Ａ断面図である。図４（ｂ）ではフロントインナー２０は省略してある。このとき、カム部材２６の略すり鉢状のカム部２６ａの一部を形成するように、位置検出端子６２ａ、６２ｂはカム部材２６のＸ１、Ｘ２に対応する位置に取り付けられている。
【００４１】
カム部材２６には方向検知用フレキシブル配線板６１が取り付けられており、位置検出端子６２ａと６２ｂは半田部６１ｉと６１ｇで方向検知用フレキシブル配線板６１に電気的に接続している。カム部材２６には不図示の位置検出端子がＹ１、Ｙ２に対応する位置に取り付けられており、それぞれ半田部６１ｈと６１ｊで方向検知用フレキシブル配線板６１に電気的に接続している。方向検知用フレキシブル配線板６１の中央部には孔部が形成されており、リング状の検出端子６０が孔部の縁を囲うように半田付けされている。
【００４２】
半田部６１ｊからは配線６１ｂが引き出されており、配線６１ｂには半田部６１ｉ、６１ｈ、６１ｇが並列に接続されている。半田部６１ｊと半田部６１ｉの配線間には抵抗素子６１ｆが直列に実装されており、半田部６１ｉと半田部６１ｈの配線間には抵抗素子６１ｅが直列に実装されており、半田部６１ｈと半田部６１ｇの配線間に抵抗素子６１ｄが直列に実装されており、半田部６１ｇが接続している箇所のさらに左部に抵抗素子６１ｃが実装されている。リング状の検出端子６０からは配線６１ａが引き出されている。配線６１ａと６１ｂは、方向検知用フレキシブル配線板６１が接続するフロントフレキシブル配線板２１を経由してメイン回路基板１７に実装されるメインＣＰＵに接続している。
【００４３】
押し子部材３１の摺動部３１ａの一部を形成し、第１の軸部３１ｂの周囲を覆うように、接続端子６３が押し子部材３１に取り付けられている。
【００４４】
レリーズリング１４が中立位置の状態にあるとき、第１の軸部３１ｂは方向検知用フレキシブル配線板６１の孔部の略中央に配置されており、接続端子６３とリング状の検出端子６０は電気的に接続しない。このとき、配線６１ａと配線６１ｂは電気的に接続されていない。また、第２の軸３１ｄの軸方向の延長上にはフロントフレキシブル配線板に実装されたレリーズスイッチ２１ｃが配設されている。レリーズリング１４が中立位置の状態にあるとき、第２の軸３１ｄはレリーズスイッチ２１ｃには接触していない。
【００４５】
図４（ｃ）はレリーズリング１４が中立位置からＸ１方向にスライド操作された状態にあるときのフロントカバーユニット１８のカム部材２６周辺の正面図と要部Ｂ-Ｂ断面図である。図４（ｃ）ではフロントインナー２０は省略してある。このとき、カム部材２６は中立位置からＸ１方向に移動し、押し子部材３１の第１の軸部３１ｂの周囲を覆う接続端子６３と、方向検知用フレキシブル配線板６１の孔部の縁に半田付けされているリング状の検出端子６０とが電気的に接続する。接続端子６３は摺動部３１ａの一部を形成しており、カム部材２６のカム部２６ａの一部を形成する位置検出端子６２ａとも電気的に接続している。この時、配線６１ａと６１ｂは、リング状の検出端子６０と接続端子６３と位置検出端子６２ａを介して電気的に接続する。配線６１ａと６１ｂは閉じた回路となり、メインＣＰＵを介して抵抗素子６１ｅ、６１ｄ、６１ｃが直列に接続した回路となる。メインＣＰＵは抵抗素子６１ｅ、６１ｄ、６１ｃの抵抗値を検出することにより、レリーズリング１４が中立位置からＸ１方向にスライド操作されたと判別する。
【００４６】
一方、押し子部材３１の摺動部３１ａがカム部２６ａを摺動して、押し子部材３１が背面側へ移動する。押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。第２の軸部３１ｄの先端がレリーズスイッチ２１ｃを第１の押し込み量だけ押し込むことで、レリーズスイッチ２１ｃの１段目のスイッチがオンする。このタイミングはカム部材２６が中立位置からＸ１方向に移動し、接続端子６３と、リング状の検出端子６０とが電気的に接続するのと略同じである。そこからさらに、第２の軸部３１ｄの先端がレリーズスイッチ２１ｃを第２の押し込み量だけ押し込むことで、レリーズスイッチ２１ｃの２段目のスイッチがオンする。
【００４７】
例えば、レリーズリング１４が中立位置からＸ２方向にスライド操作されると、カム部材２６は中立位置からＸ２方向に移動し、接続端子６３と、リング状の検出端子６０とが電気的に接続すると共に、接続端子６３と位置検出端子６２ｂとが電気的に接続する。この時、配線６１ａと６１ｂは、リング状の検出端子６０と接続端子６３と位置検出端子６２ｂを介して電気的に接続する。配線６１ａと６１ｂは閉じた回路となり、メインＣＰＵを介して抵抗素子６１ｃが直列に接続した回路となる。メインＣＰＵは抵抗素子６１ｃの抵抗値を検出することにより、レリーズリング１４が中立位置からＸ２方向にスライド操作されたと判別する。
【００４８】
本発明の構成において、レリーズリング１４のＹ１方向へのスライド操作、或いはＹ２方向へのスライド操作も同様に判別可能となる。
【００４９】
以上、本発明の好ましい実施形態について説明したが、本発明はこれらの実施形態に限定されず、その要旨の範囲内で種々の変形及び変更が可能である。
【符号の説明】
【００５０】
１４  レリーズリング、１５  Ｙ方向移動リング、２０  フロントインナー、
２２  レリーズベース、２６  カム部材、２６ａ，２６ｂ  カム部、３１  押し子部材、
３２  付勢バネ
【図１】
2017098730.tif 000003
【図２】
2017098730.tif 000004
【図３】
2017098730.tif 000005
【図４】
2017098730.tif 000006